(57)【要約】  【課題】非使用時や空移動の際には複数個を上下に積み重ねた状態で効率よく保管し又は移動できる運搬用スタッキングカートを提供する。  【解決手段】四隅の下部に移動用キャスター４が取り付けられた平面視が四角形のベース枠１と、平面視がベース枠１よりも小さい四角形で四隅に積載物品の四隅底部を受け持つリブ付きの荷受けコーナ枠５を備えた上部枠２と、ベース枠１に対して上部枠２をほぼ水平に床上一定の高さに支持した支持部材３とで構成されている。上部枠２とベース枠１は平面視において共通の中心を持つ相似形状に配置されている。上部枠２の外形寸法はベース枠１の四隅に位置する各移動用キャスター４…が下位カートの上部枠２よりも外側へはみ出てスタッキングされる大きさに形成されている。【選択図】  図１
2006224849.tif 000002
【特許請求の範囲】
【請求項１】
四隅の下部に移動用キャスターが取り付けられた平面視が四角形のベース枠と、平面視が前記ベース枠よりも小さい四角形で四隅に積載物品の四隅底部を受け持つリブ付きの荷受けコーナ枠を備えた上部枠と、ベース枠に対して上部枠をほぼ水平に床上一定の高さに支持した支持部材とで構成されており、
上部枠とベース枠は平面視において共通の中心を持つ相似形状に配置されており、上部枠の外形寸法はベース枠の四隅に位置する各移動用キャスターが下位カートの上部枠よりも外側へはみ出てスタッキングされる大きさに形成されていることを特徴とする、運搬用スタッキングカート。
【請求項２】
ベース枠は中空構造に構成され、しかも該ベース枠の内周寸法は、下段のカートにおける上部枠及びその四隅のリブ付き荷受けコーナ枠の上に積み重ね可能な大きさに構成されていることを特徴とする、請求項１に記載した運搬用スタッキングカート。
【請求項３】
ベース枠に対して、上部枠の床上高さが、支持部材によって少なくとも４００mm以上に高く支持されていることを特徴とする、請求項１又は２に記載した運搬用スタッキングカート。
【請求項４】
ベース枠と上部枠及び支持部材は、樹脂被覆接着鋼管とこれを連結する樹脂製継手により組み立てられていることを特徴とする、請求項１〜３のいずれか一に記載した運搬用スタッキングカート。
【発明の詳細な説明】
【技術分野】
【０００１】
この発明は、主に食品工場などにおいて、各種の食材や弁当、お茶類などを詰めたコンテナ容器などを運搬するために使用されるカート、特に非使用時や空移動の際には複数個を上下に積み重ねた（スタッキングした）状態で効率よく保管し又は移動できる運搬用スタッキングカートの技術分野に属する。
【背景技術】
【０００２】
従来、食品工場などにおいて、各種の食材や弁当、お茶類などを詰めたコンテナ容器などを運搬するカートとしては、例えば下記の特許文献１および２に開示されたように、四周に低い周側壁を立ち上げた浅い箱形台枠の四隅下部に移動用キャスターを取り付けた低床型のカートが一般的に使用されている。これらのカートは非使用時や空移動の際には複数個を積み重ねたスタッキング状態で効率よく保管し又は移動できる構成であり、例えば特許文献１の台枠の上面にはキャスターを固定するスタッキング用溝が設けられている。
また、特許文献３には、移動用キャスター付きのざる置き台であって、非使用時や空移動の際には複数個を上下に積み重ねたスタッキング状態で効率よく保管し又は移動できるものが開示されている。
【０００３】
【特許文献１】特開平１０−７１９５５号公報
【特許文献２】特開２００２−２４９６号公報
【特許文献３】実開昭６２−４７３３７号公報
【発明の開示】
【発明が解決しようとする課題】
【０００４】
上記の特許文献１、２に開示された低床型のスタッキングカートは、低床型（通例台枠の床上高さが２００mm以下と低い。）であるが故に、コンテナを１個或いは２個程度積み重ねたにすぎない運搬時には、当然、使用者はそれなりに腰を大きく屈めた前傾姿勢で運搬作業や荷扱い作業をするほかなく、苦痛を伴う作業を強いられる。
のみならず、上記のスタッキングカートが主に使用される食品工場などは、通例多量の水を使用し、床などにも水が多く撒き散らされて水溜まりが出来ているような湿潤環境が一般的である。そのため人の歩行やカートの走行で不衛生な汚れ水が跳ねやすく、その跳ね水や異物が低床型のスタッキングカートに積まれたコンテナ容器へ付着して汚れ易く、或いはコンテナ容器の中にまで不用意に入り込む危険性があり、食品の衛生管理上に大きな問題点を有している。
【０００５】
また、従来の特許文献１、２に開示された低床型のスタッキングカートは、スタッキング機能を有しているとはいえ、スタッキング時には上記のように散水されて水溜まりが出来ているような湿潤環境で不衛生な床を走行して汚れた移動用キャスターを下位のカートにおける台枠の上面に載せ、同キャスターをスタッキング用溝に嵌めて固定する構成であるが故に、スタッキングする度に台枠が汚損されて不衛生状態となる。よってカートを常に綺麗に衛生的に洗浄、清掃しておくために、多くの手間と時間が掛かるという欠点、問題点も大きい。
【０００６】
更に、従来の特許文献１、２に開示されたスタッキングカートは、単に移動用キャスターを下位のカートにおける台枠の上面に載せて、同キャスターをスタッキング用溝に嵌めて固定した程度のスタッキングを行っているにすぎない。つまり、複数のカートを順に積み上げている状態にすぎず、スタッキング用溝によるキャスターの固定力にも限りがあって、さほどには安定していない。よって、移動時の床の段差による衝撃や振動、あるいは人や物に当たった際の衝撃力や振動などで簡単に崩れ、落ちる欠点と面倒さがあった。この問題点は、特許文献３に開示された移動用キャスター付きざる置き台のスタッキングについても同様に認められる。
【０００７】
本発明の目的は、コンテナ容器などを積載する床上高さが、使用者に腰を大きく屈めた前傾姿勢を強いることにならず、しかも床などに多く散水されて水溜まりが出来ているような湿潤環境下で使用されても、人の歩行やカートの走行で跳ねた汚水や異物がカートに積まれたコンテナ容器へ付着して汚すこと、或いはコンテナ容器の中にまで不用意に入り込む危険性は殆ど無いか、又は限りなく少なく、食品の衛生管理上に有益な高床式として構成した運搬用スタッキングカートを提供することである。
【０００８】
本発明の次の目的は、スタッキングした際の安定性が高く、簡単に崩れたり、落ちる心配のないスタッキング構造に改良した運搬用スタッキングカートを提供することである。
本発明の更なる目的は、スタッキングした際に、不衛生な床を走行した移動用キャスターによって他のカートを汚したり不衛生にする心配が無く、洗浄、清掃の手間や時間を省けるスタッキング構造に改良した運搬用スタッキングカートを提供することである。
【課題を解決するための手段】
【０００９】
上記した従来技術の課題を解決するための手段として、請求項１に記載した発明に係る運搬用スタッキングカートは、
四隅の下部に移動用キャスター４が取り付けられた平面視が四角形のベース枠１と、平面視が前記ベース枠１よりも小さい四角形で四隅に積載物品の四隅底部を受け持つリブ付きの荷受けコーナ枠５を備えた上部枠２と、ベース枠１に対して上部枠２をほぼ水平に床上一定の高さに支持した支持部材３とで構成されており、
上部枠２とベース枠１は平面視において共通の中心を持つ相似形状に配置されており、上部枠２の外形寸法はベース枠１の四隅に位置する各移動用キャスター４…が下位カートの上部枠２よりも外側へはみ出てスタッキングされる大きさに形成されていることを特徴とする。
【００１０】
請求項２に記載した発明は、請求項１に記載した運搬用スタッキングカートにおいて、
ベース枠１は中空構造に構成され、しかも該ベース枠１の内周寸法は、下段のカートにおける上部枠２及びその四隅のリブ付き荷受けコーナ枠５の上に積み重ね可能な大きさに構成されていることを特徴とする。
【００１１】
請求項３に記載した発明は、請求項１又は２に記載した運搬用スタッキングカートにおいて、
ベース枠１に対して、上部枠２の床上高さが、支持部材３によって少なくとも４００mm以上に高く支持されていることを特徴とする。
【００１２】
請求項４に記載した発明は、請求項１〜３のいずれか一に記載した運搬用スタッキングカートにおいて、
ベース枠１と上部枠２及び支持部材３は、樹脂被覆接着鋼管とこれを連結する樹脂製継手により組み立てられていることを特徴とする。
【発明の効果】
【００１３】
請求項１〜４に記載した発明に係る運搬用スタッキングカートは、コンテナ容器１０などを積載する上部枠２の床上高さが例えば４００mm以上であり、使用者に腰を大きく屈めた前傾姿勢を強いることにならず、使い易い。しかも床などに多く散水されて水溜まりが出来ているような悪い湿潤環境下で使用されて、人の歩行やカートの走行で汚水や異物が跳ねられても、カートの上部枠２の上に積まれたコンテナ容器１０にまでは大部分届かないから殆ど汚れないし、もとよりコンテナ容器１０の中にまで不用意に入り込む危険性もないから、食品の衛生管理上にすこぶる有益である。
【００１４】
また、本発明に係る運搬用スタッキングカートは、平面視が四角形の上部枠２の上に、同じく平面視が四角形である上位カートのベース枠１がほぼ相似形状に載り、ベース枠１の四隅に位置する移動用キャスター４は下位カートの上部枠２より外側へはみ出すようにスタッキングされる構成であるから、スタッキングした際の安定性が極めて高く、移動中の床の多少の段差や人、物に衝突した程度の衝撃力、振動では簡単に崩れたり、落ちる心配がなく、安定性が高いので使い勝手が良い。
しかも、汚れた水溜まりがあるような不衛生な床を走行した移動用キャスター４は、スタッキング時には、下位カートの上部枠２の外側へはみ出すように積み重なるので、他のカートを汚したり不衛生にする心配が無い。よってカートの洗浄、清掃の手間や時間も大きく省けるのである。
【発明を実施するための最良の形態】
【００１５】
四隅の下部に移動用キャスター４が取り付けられた平面視が四角形のベース枠１と、平面視が前記ベース枠１よりも小さい四角形で四隅に積載物品の四隅底部を受け持つリブ付きの荷受けコーナ枠５を備えた上部枠２と、ベース枠１に対して上部枠２をほぼ水平に床上一定の高さに支持した支持部材３とで構成する。
上部枠２とベース枠１は平面視において共通の中心を持つ相似形状に配置する。しかも上部枠２の外形寸法はベース枠１の四隅に位置する移動用キャスター４が下位カートの上部枠２の外側へはみ出てスタッキングされる大きさに形成する。
ベース枠１に対して、上部枠２の床上高さは支持部材３によって少なくとも４００mm以上に高く支持させる。
【実施例１】
【００１６】
以下に、本発明を図１〜３に示した実施例に基づいて説明する。
図１に示した運搬用スタッキングカートは、ベース枠１と上部枠２及び支持部材３がそれぞれ、樹脂被覆接着鋼管（以下、単に管材という。）とこれを連結する樹脂製継手とで組み立てられた構成である。
即ち、四隅の下部に移動用キャスター４が取り付けられた平面視が四角形のベース枠１は、四辺の管材１ａが四隅に配置したキャスター取付用コーナー継手１ｂによって連結され、いわゆる中空構造に組み立てられている。前記キャスター取付用コーナー継手１ｂの垂直なソケットに移動用キャスター４の旋回軸が縦に取り付けられている。
【００１７】
平面視が前記ベース枠１よりも小さい四角形で、四隅にコンテナ容器のような積載物品の四隅底部を受け持つリブ付きの荷受けコーナ枠５を備えた上部枠２は、前記荷受けコーナ枠５と一体に成形されたコーナ継手部５ａを利用して四辺の管材２ａが連結され、やはり中空構造に組み立てられている。そのためコーナ継手部５ａの内隅部にほぼ水平な荷受け部５ｂが形成されている。図中の５ｃはコンテナ容器のような積載物品の四隅外周を支持するリブである。
【００１８】
上記のベース枠１に対して、上部枠２をほぼ水平姿勢で床上一定の高さに差し上げた形に支持する支持部材３は、図１に示したように、ベース枠１および上部枠２それぞれの管材１ａ、２ａのほぼ中間部位にＴ形継手３ａ、３ｂを取り付け、このＴ形継手３ａ、３ｂにより所要長さの管材３ｃを連結して構成されている。即ち、管材３ｃの長さは、ベース枠１に対して上部枠２の床上高さＨ（図２Ａ参照）が例えば４００mm以上となるように設計して組み立てられている。
【００１９】
上部枠２とベース枠１は、平面視においてそれぞれ共通の中心を持つ相似形状に形成し配置されている。しかも上部枠１の外形寸法は、図３にスタッキング状態を例示したように、ベース枠１の四隅に位置する各移動用キャスター４…が、下位カートの上部枠２よりも外側へはみ出すようにスタッキングされる大きさに形成されている。そのため図１で明らかなように、ベース枠１に対して上部枠２を一定の高さに差し上げた形に支持する支持部材３は、それぞれ上向きの内方へ同一角度に傾斜した配置とされ、この運搬用スタッキングカートの全体形状は上方にすぼむ四角錐形状に構成されている（図１参照）。
【００２０】
従って、本発明の運搬用スタッキングカートは、図３にスタッキング状態を例示したように、いわば四角錐形状の箱体を順次上から被せるように積み重ねてスタッキングされる。その場合に、ベース枠１は中空構造に構成されており、しかも該ベース枠１の内周寸法は、下段のカートにおける上部枠２及びその四隅のリブ付き荷受けコーナ枠５の上に積み重ね可能な大きさに構成されているから、十分に深くスタッキングすることができ、スタッキング嵩の縮小化に有益である。その上、四角錐形状の箱体を積み重ねたに等しいスタッキング状態であるから、安定性に優れる。しかも、スタッキング時には、図３で明らかなように、ベース枠１の四隅に位置する各移動用キャスター４…は、すべて下位カートの上部枠２よりも外側へはみ出すようにスタッキングされるから、汚損された移動用キャスター４が他のカートを汚す不都合は決して発生しない。
【００２１】
また、本発明の運搬用スタッキングカートは、上部枠２の床上高さＨが、少なくとも４００mm以上となるように構成されているので、図２Ａに本発明の運搬用スタッキングカートを、図２Ｂに示す従来の低床型カートの運搬、使用の状態と比較して示したように、本発明の運搬用スタッキングカートの上部枠２の上に積んだコンテナ容器１０のような積載物品の最高部位はおよそ４５０mm程度に高くなるから、使用者の運搬姿勢の前屈み姿勢はさほどにきつくはなく、楽な姿勢の運搬作業、荷扱いができる。逆に、図２Ｂに示した従来の低床型カートを使用する場合の前屈み姿勢はかなりきつくなって、苦しいことが理解されるであろう。  
【００２２】
以上に本発明を図示した実施例に基づいて説明したが、勿論、本発明は上記実施例の構成に限定されるものではない。本発明の要旨、及び技術思想を逸脱しない範囲で、当業者が行うであろう設計変更や応用として種々に実施されるものであることを念のため申し添える。
【図面の簡単な説明】
【００２３】
【図１】本発明に係る運搬用スタッキングカートの実施例を示した斜視図である。
【図２】Ａは本発明のカート、Ｂは従来カートの使用状態を比較して示した正面図である。
【図３】本発明に係る運搬用スタッキングカートのスタッキング状態を示した斜視図である。
【符号の説明】
【００２４】
１        ベース枠
２        上部枠
３        支持部材
４        移動用キャスター
５        リブ付き荷受けコーナ枠
【図１】
2006224849.tif 000003
【図２】
2006224849.tif 000004
【図３】
2006224849.tif 000005